(57)【要約】【課題】  引戸装置の扉体と、該扉体の戸尻側に位置するパネル体の隙間を塞ぐ指詰め防止体を、パネル体の戸先側端面に容易に取付けられる構成とする。【解決手段】引戸装置１において、扉体２と、該扉体２の戸尻側に位置するパネル体４とを開閉可能な隙間Ｓを設けて配設するにあたり、前記パネル体４は、フレームにより枠組みされ、内外面に面板を固着して形成され、前記パネル体４の戸先側端面には、一方の面板と戸先フレーム８とのあいだに凹部９が形成されており、該凹部９に前記扉体２の面部に向けて隙間Ｓを塞ぐように突出する指詰め防止体１０を嵌合固定した。【選択図】  図２
2011074690.tif 000002
【特許請求の範囲】
【請求項１】
引戸装置において、開口部を開閉する扉体と、閉鎖時に前記扉体の戸尻側に位置するパネル体とを開閉可能な隙間を設けて配設するにあたり、前記パネル体は、フレームにより枠組みされ、内外面に面板を固着して形成され、戸先側端面には一方の面板と戸先側フレームとのあいだに垂直方向にわたって凹部が形成されており、該凹部には、前記扉体の面部に向けて隙間を塞ぐように突出する指詰め防止体を嵌合固定したことを特徴とする引戸装置の指詰め防止構造。
【請求項２】
前記戸先側フレームは、対向する二つの片と、該二つの片を戸先側でつなぐ連結片で構成され、前記連結片は戸尻側に折り曲げた折曲片を有し、前記凹部は、前記一方の面板と折曲片により形成されていることを特徴とする請求項１に記載の引戸装置の指詰め防止構造。
【請求項３】
前記一方の面板の戸先側先端部には、裏面側に折り返した折返し片が形成され、前記指詰め防止体は、前記凹部に嵌合する脚部を有し、該脚部にはフィンが形成され、指詰め防止体の脚部を凹部に嵌合したときに前記折返し片の先端に前記フィンの先端が抜け止め状に掛止することを特徴とする請求項１または２に記載の引戸装置の指詰め防止構造。
【発明の詳細な説明】
【技術分野】
【０００１】
本発明は、建築物の開口部に設けられる引戸装置の指詰め防止構造に関するものである。
【背景技術】
【０００２】
一般に、建築物の開口部に設けられる引戸装置の扉体は、開口部側部の壁体に形成された戸袋に引き込まれるように構成され、扉体と戸袋の間の隙間には指等が挟まってしまうことを防止するために、戸袋の戸先側先端に、扉体へ向けて突出した指詰め防止部材が取付けられている。
【先行技術文献】
【特許文献】
【０００３】
【特許文献１】特開２００８−８２０５３号公報
【発明の概要】
【発明が解決しようとする課題】
【０００４】
図６に示すように指詰め防止部材１０´は、押え部材とねじやリベット等の締結部品を用いて戸袋の戸先側に固定されるが、取付固定用の専用部材が必要になって部品数が多くなるとともに、予め押え部材や戸袋の所定箇所に穴あけを行なうなどの加工が必要となるため施工性がよくないという課題があった。
【課題を解決するための手段】
【０００５】
本発明は、叙述の如き実情に鑑み、これらの課題を解決することを目的として創作されたものであって、請求項１に記載の発明は、引戸装置において、開口部を開閉する扉体と、閉鎖時に前記扉体の戸尻側に位置するパネル体とを開閉可能な隙間を設けて配設するにあたり、前記パネル体は、フレームにより枠組みされ、内外面に面板を固着して形成され、戸先側端面には一方の面板と戸先側フレームとのあいだに垂直方向にわたって凹部が形成されており、該凹部には、前記扉体の面部に向けて隙間を塞ぐように突出する指詰め防止体を嵌合固定したことを特徴とする引戸装置の指詰め防止構造である。
請求項２の発明は、前記戸先側フレームは、対向する二つの片と、該二つの片を戸先側でつなぐ連結片で構成され、前記連結片は戸尻側に折り曲げた折曲片を有し、前記凹部は、前記一方の面板と折曲片により形成されていることを特徴とする請求項１に記載の引戸装置の指詰め防止構造である。
また、請求項３に記載の発明は、前記一方の面板の戸先側先端部には、裏面側に折り返した折返し片が形成され、前記指詰め防止体は、前記凹部に嵌合する脚部を有し、該脚部にはフィンが形成され、指詰め防止体の脚部を凹部に嵌合したときに前記折返し片の先端に前記フィンの先端が抜け止め状に掛止することを特徴とする請求項１または２に記載の引戸装置の指詰め防止構造である。
【発明の効果】
【０００６】
請求項１に記載の発明とすることにより、指詰め防止体を固定するための押え部材や締結部品を使用する必要がなくなって部品数が削減されるとともに、穴あけ加工が不要となって施工性が向上する。
請求項２に記載の発明とすることにより、パネル体の構成部材を増やすことなく指詰め防止体を取り付けることができる。
請求項３に記載の発明とすることにより、指詰め防止体を確実に固定して抜け出し防止を図ることができる。
【図面の簡単な説明】
【０００７】
【図１】引戸装置の全体正面図である。
【図２】引戸装置の横断面図である。
【図３】第一の実施形態に係る図であって、（Ａ）は要部拡大図、（Ｂ）は指詰め防止体の平面図である。
【図４】第二の実施形態に係る図であって、（Ａ）は要部拡大図、（Ｂ）は指詰め防止体の平面図である。
【図５】第三の実施形態に係る要部拡大図である。
【図６】従来の引戸装置の横断面図である。
【発明を実施するための形態】
【０００８】
つぎに、本発明の実施の形態について、図面に基づいて説明する。
図１は、建築物の開口部に設けられる引戸装置１の扉閉鎖時における姿図であり、引戸装置１は、上枠１ａと、左右の縦枠１ｂと、床面Ｆから形成されている。２は開口部を開閉する扉体であって、該扉体２は上縁部に左右一対のローラブラケット２ａが突設されており、該ローラブラケット２ａにそれぞれローラ２ｂが軸承されている。
一方、開口部の側方（本実施の形態では図１の向かって右側）には、扉体２を引き込むための戸袋３が形成されており、扉体２の上方から戸袋３内の上方に至る部位には、走行レール１ｃが左右方向に長く設けられている。そして、前記扉体２のローラ２ｂを走行レール１ｃに吊持させ、走行レール１ｃ上を左右方向に走行させることにより、扉体２が戸袋３の左側に位置する開口部を閉鎖する閉鎖姿勢から、戸袋３内に引き込まれ開口部を開放する開放姿勢とのあいだを変姿するように構成されている。
【０００９】
前記戸袋３は、内外一対のパネル体４と戸尻側に位置する縦枠１ｂ（本実施の形態では図１における右側の縦枠）とで構成され、前記パネル体４は上下左右のフレームで方形状に枠組み固定して、その内側にコア材５を組み込み、外部側から表面板６、内部側から裏面板７を貼り付けて形成されている。
つぎに、パネル体４を形成する各部について図２、３に基づいて説明するが、パネル体４は、収納される扉体２に対して内外対称に設けられるため外部側のパネル体４（図２の下側）についてのみ説明することとする。
前記表面板６は、面部６ａと、該面部６ａから略直角に裏面側へ折り曲げられた戸先側折曲片６ｂ、戸尻側折曲片６ｃと、戸先側折曲片６ｂの先端をさらに戸尻側へ折り曲げて面部６ａに対向する戸先側先端片６ｄが形成されている。
また、前記裏面板７は、面部７ａと、該面部７ａの戸先側において戸尻側へ１８０度折り返され面部７ａの裏面と密着する折返し片７ｂ、前記面部７ａから略直角に裏面側へ折り曲げられた戸尻側折曲片７ｃが形成されている。
【００１０】
前記フレームのうち戸先側において垂直方向に長く配設される戸先フレーム８は、表面板６の裏面に対向する第一片８ａと、裏面板７に対向する第二片８ｂと、第一片８ａと第二片８ｂをつなぐ連結片８ｃで形成された長尺部材である。さらに、前記連結片８ｃは、裏面板７に近接する部位において、戸尻側に向けて折り曲げられた第一折曲片８ｄと、該第一折曲片８ｄから裏面板７に向けて折り曲げられ第二片８ｂの戸先側先端部に連結する第二折曲片８ｅとを有する段差状に形成されている。
また、戸先フレーム８以外の上下および戸尻側フレームは断面視コ字形に形成された長尺部材である。
【００１１】
そして、図２に示すようにパネル体４は、戸尻側フレームと戸尻側に開口を向けた戸先フレーム８のあいだにコア材５を組み込み、外部側に表面板６、戸袋３の内部側に裏面板７を貼り付けて形成されている。このときパネル体４の戸先側端面には、裏面板７側に近接し、戸先フレーム８と裏面板７のあいだであって、具体的には、第一折曲片８ｄと第二折曲片８ｅの２つの折曲片と裏面板７の戸先側折返し片７ｂによって囲まれ戸先側が開口する凹部９が形成されている。この凹部９に、指詰め防止体１０が固定されるように設定されている。
【００１２】
前記指詰め防止体１０は、パネル体４の戸先側端面に沿う本体部１０ａと、該本体部１０ａの先端に形成され扉体２の面部に向けて扉体２とパネル体４の隙間Ｓを塞ぐように突出する規制片１０ｂと、前記凹部９に挿入したときに裏面板７の戸先側折曲片７ｂと戸先フレーム８の第一折曲片８ｄ（表面板６の戸先側先端片６ｄ）に近接対向する二本の脚部１０ｃを備えて形成されている。さらに前記二本の脚部１０ｃには、表裏面板６、７に向けた方向で、かつ、本体部１０ａの方向に向けて斜めに複数のフィン１０ｄが形成されている。指詰め防止体１０は、少なくとも規制片１０ｂとフィン１０ｄがゴムや合成樹脂等の軟質の弾性体で構成され、垂直方向全長あるいは必要な高さ部分において凹部９に挿入され、前記フィン１０ｄが脚部１０ｃ側へ屈曲するように弾性変形しながら嵌合する。前記フィン１０ｄが弾性変形した状態で凹部９に嵌合することにより、戸先側折曲片７ｂおよび戸先フレーム８の第一折曲片８ｄと、フィン１０ｄとが摩擦抵抗によって抜け方向への移動が抑えられる。
【００１３】
叙述の如く構成された本発明の実施形態において、戸袋３のパネル体４を構成する裏面板７の先端部と戸先フレーム８とのあいだに形成した凹部９に指詰め防止体１０を嵌合固定したので、指詰め防止体１０を取付けるための専用部材や締結部材を使用する必要がなく、取付け時の穴加工も不要となって、容易に取付け作業を行なうことができる。また、従来から使用しているパネル体４の構成部材を利用して指詰め防止体１０を固定する構成としたので、部品数を増やすことなく、指詰め防止を実現することができる。さらに本実施の形態では、内外対称の位置にパネル体４を配設しており、外部側のパネル体４と同様に内部側のパネル体４の戸先側端面においても同様に前記指詰め防止体１０を取り付けることができる。
また、本発明におけるパネル体４の構成は戸袋３を構成するパネルに限定されるものではなく、引き違い戸における扉体のパネルや、戸先側の第一の扉体を戸尻側の第二の扉体に引き込むような引戸装置の第二の扉体のパネルにも採用することができる。
【００１４】
つぎに、図４に示す第二の実施形態について説明する。
前記第二の実施形態では、裏面板７の面部７ａの戸先側において略直角に表面板６側へ折り曲げられた戸先側折曲片７ｄと、該戸先側折曲片７ｄの先端をさらに戸尻側へ折り曲げて面部７ａの裏面に対向する戸先側先端片７ｅが形成されている。前記戸先側先端片７ｅの先端は、戸先フレーム８の第二折曲片８ｅに当接し、戸先側先端片７ｅと、戸先フレーム８の第一折曲片８ｄ（表面板６の戸先側先端片６ｄ）とのあいだに凹部９が形成されている。この凹部に指詰め防止体１０が脚部１０ｃを挿入して嵌合固定されるが、本実施形態における凹部９は、第一の実施形態の場合よりも戸先側の開口が狭く形成されており、指詰め防止体１０の脚部１０ｃは一本だけ形成されたものになっている。
【００１５】
さらに、図５に示す第三の実施形態のように構成することもできる。
前記第三の実施形態では、指詰め防止体１０が前記凹部９に嵌合固定された状態において、裏面板７の戸先側部位を戸尻側へ１８０度折り返して裏面と密着する戸先側折返し片７ｂの先端部７ｆに、凹部９に挿入された指詰め防止体１０のフィン１０ｄの先端部１０ｅが抜け止め状に掛止するように構成されている。このような構成とすることで、より一層の抜け防止効果を果たすことができる。このときの戸先側折返し片７ｂの長さは、指詰め防止体１０の本体部１０ａから前記フィン１０ｄの先端部１０ｅまでの距離にほぼ等しく、戸先フレーム８の第一折曲片８ｄの長さよりも短い。
【符号の説明】
【００１６】
１  引戸装置
２  扉体
３  戸袋
４  パネル体
６  表面板
７  裏面板
７ａ  面部
７ｂ  戸先側折返し片
８  戸先フレーム
８ｄ  第一折曲片
８ｅ  第二折曲片
９  凹部
１０  指詰め防止体
【図１】
2011074690.tif 000003
【図２】
2011074690.tif 000004
【図３】
2011074690.tif 000005
【図４】
2011074690.tif 000006
【図５】
2011074690.tif 000007
【図６】
2011074690.tif 000008